(57)【要約】      （修正有）【課題】試料トレー本体に、漏斗を一体化し、試験作業（ＪＩＳ  Ａ  １１０９細骨材の密度及び吸水率試験方法及びＪＩＳ  Ａ  １１１１細骨材の表面水率試験方法）において砂の計量、測定作業一連の人的ミスを防止する漏斗付トレーを提供する。【解決手段】試料トレー本体に漏斗７と短いラッパ状注ぎ口６を設け、本体上部に持ち手を備え、秤に載せる為に底は平らで座りをよくし、砂の計量からガラス製の試験器具への投入までの一連の操作を本漏斗付トレーで行い、人的ミスを防止できる。【選択図】図１
0003165824.tif 000002
【実用新案登録請求の範囲】
【請求項１】
砂を計量する容器であって、トレー本体は、底辺が略長方形であって、２辺の長辺と１辺の短辺は底辺から立ち上げた壁を有し、他の短辺は底辺から上方に傾斜した壁を有し、これら４辺の壁は水漏れを防ぐ連続した壁であって、かつ該傾斜壁は、２辺の長辺に平行で中心が前記壁の上端より高い位置で小径の注ぎ口を有するラッパ状の漏斗の一部として構成され、前記漏斗の上部に取っ手を設け、操作時に、片手で容器の安定が図れ、砂の計量から試験器具に注ぎ入れる際に、こぼれや漏れがないことを特徴とした漏斗付トレー。
【考案の詳細な説明】
【技術分野】
【０００１】本考案は、漏斗付試料トレーに関するものである。
【背景技術】
【０００２】  細骨材試験、ＪＩＳ  Ａ  １１０９細骨材の密度及び吸水率試験方法及びＪＩＳ  Ａ  １１１１細骨材の表面水率試験方法において、砂をトレーまたは、バットで計量しものを漏斗などを使用して試験器具（ピクノメーター、チャップマンフラスコ）に試料を入れていた。
【考案の概要】
【考案が解決しようとする課題】
【０００５】  計量後の砂の取り扱いについて、人的なミス（こぼれ、作業時間のロス、砂の品質変化、試験値の誤差、ガラス器具の破損）の問題点を解決する。
【課題を解決するための手段】
【０００６】  砂を計量する容器であって、トレー本体は、底辺が略長方形であって、２辺の長辺と１辺の短辺は底辺から立ち上げた壁を有し、他の短辺は底辺から上方に傾斜した壁を有し、これら４辺の壁は水漏れを防ぐ連続した壁であって、かつ該傾斜壁は、２辺の長辺に平行で中心が前記壁の上端より高い位置で小径の注ぎ口を有するラッパ状の漏斗の一部として構成され、前記漏斗の上部に取っ手を設け、操作時に、片手で容器の安定が図れ、砂の計量から試験器具に注ぎ入れる際に、こぼれや漏れがないことを特徴とした漏斗付トレーとする。
【考案の効果】
【０００７】  ガラス製の試験器具（ピクノメーター、チャップマンフラスコ）に試料を入れる際に、こぼれや砂の品質変化が解消され、作業時間の短縮や試験誤差を少なくできる。砂の計量からガラス製の試験器具への投入までの一連の操作を本考案漏斗付トレーで行い、人的ミスを防止できる。
【図面の簡単な説明】
【０００８】
【図１】本考案の漏斗付トレーの側面図である。
【図２】漏斗付トレーの上面図である。
【図３】漏斗付トレーの正面図である。
【図４】試料を投入し計量する説明図。
【図５】試料を試験器具に注ぎ入れる説明図。
【図６】試料を試験器具に注ぎ入れる説明図。
【考案を実施するための形態】
【０００９】  漏斗付トレー本体を秤に載せ、トレー部分で砂を５００ｇ程度計量する。ガラス製の試験器具（ピクノメーター、チャップマンフラスコ）の注ぎ口に漏斗付トレーを傾け注ぎ口を挿入させ砂を入れる。トレー内側に付着した砂は刷毛などで払い落し試験器具の中に入れ測定する。
【実施例】
【００１０】  以下、図面に従って本考案の実施例を説明する。漏斗付トレー本体１は、底辺２が略長方形であって、底辺の２辺の長辺から立ち上げた壁３と、底辺の１辺の短辺から立ち上げた壁４を有し、他の短辺は底辺から上方に傾斜した壁５を有し、これら４辺の壁は水漏れを防ぐ連続した壁であって、かつ該傾斜壁５は、２辺の長辺に平行で中心が前記壁の上端より高い位置で小径の注ぎ口６を有するラッパ状の漏斗７の一部として構成され、前記漏斗７の上部に取っ手９を設ける。本トレーを注ぎ口を下げて試験器具に注ぎ入れるときに、壁３の漏斗側上部から溢れてこぼれ落ちないように、漏斗側壁３上部に傾斜対応壁８を設ける。操作時に、片手で容器の安定が図れ、砂の計量から試験器具１１に注ぎ入れる際に、こぼれや漏れがないことを特徴とした漏斗付トレーとする。
本考案の素材は、プラスチック製またはポリプロピレン製でトレーに漏斗と取っ手を一体化することにより、ガラス製の試験器具（ピクノメーター、チャップマンフラスコ）と接触による破損をなくし、計量した砂を試験器具に直接注ぎ入れることができる。本体の底は秤に載せる為、平らで座りが良く、漏斗の注ぎ口の先は、試験器具の注ぎ口の内径に合い、砂の詰まりを防ぐ為に短いラッパ状にしている。取っ手は漏斗上部あり傾ける際、片手で容器の安定が図れる。
図４は漏斗付トレーの使用状況を示す。漏斗付トレーに試料（細骨材）１０を投入し、秤１２で計量する。図５は試験器具（チャップマンフラスコ）１３に注ぎ入れている状況を示す。図６は刷毛１４試料を払い落とす状況を示す。
【符号の説明】
【００１３】１  漏斗付トレー本体
２  底辺
３  長辺の壁
４  短辺の壁
５  傾斜壁
６  注ぎ口
７  漏斗
８  傾斜対応壁
９  取っ手
１０  試料（細骨材）
１１  計量スプーン
１２  秤
１３  試験器具（チャップマンフラスコ）
１４  刷毛
【図１】
0003165824.tif 000003
【図２】
0003165824.tif 000004
【図３】
0003165824.tif 000005
【図４】
0003165824.tif 000006
【図５】
0003165824.tif 000007
【図６】
0003165824.tif 000008
【手続補正書】
【提出日】平成22年11月4日(2010.11.4)
【手続補正１】
【補正対象書類名】実用新案登録請求の範囲
【補正対象項目名】全文
【補正方法】変更
【補正の内容】
【実用新案登録請求の範囲】
【請求項１】
砂を計量する容器であって、トレー本体は、底面が略長方形であって、２辺の長辺と１辺の短辺は底面から立ち上げた壁を有し、他の短辺は底面から上方に傾斜した壁を有し、これら４辺の壁は水漏れを防ぐ連続した壁であって、かつ該傾斜壁は、２辺の長辺に平行で中心が前記壁の上端より高い位置で小径の注ぎ口を有するラッパ状の漏斗の中心軸を水平にした状態での下半分に相当する部分として構成され、前記漏斗の上部に取っ手を設け、操作時に、片手で容器の安定が図れ、砂の計量から試験器具に注ぎ入れる際に、こぼれや漏れがないことを特徴とした漏斗付トレー。
【手続補正２】
【補正対象書類名】明細書
【補正対象項目名】全文
【補正方法】変更
【補正の内容】
【考案の詳細な説明】
【技術分野】
【０００１】  本考案は、漏斗付試料トレーに関するものである。
【背景技術】
【０００２】  細骨材試験、ＪＩＳ  Ａ  １１０９細骨材の密度及び吸水率試験方法及びＪＩＳ  Ａ  １１１１細骨材の表面水率試験方法において、砂をトレーまたは、バットで計量しものを漏斗などを使用して試験器具（ピクノメーター、チャップマンフラスコ）に試料を入れていた。
【考案の概要】
【考案が解決しようとする課題】
【０００５】  計量後の砂の取り扱いについて、人的なミス（こぼれ、作業時間のロス、砂の品質変化、試験値の誤差、ガラス器具の破損）の問題点を解決する。
【課題を解決するための手段】
【０００６】  砂を計量する容器であって、トレー本体は、底面が略長方形であって、２辺の長辺と１辺の短辺は底面から立ち上げた壁を有し、他の短辺は底面から上方に傾斜した壁を有し、これら４辺の壁は水漏れを防ぐ連続した壁であって、かつ該傾斜壁は、２辺の長辺に平行で中心が前記壁の上端より高い位置で小径の注ぎ口を有するラッパ状の漏斗の中心軸を水平にした状態での下半分に相当する部分として構成され、前記漏斗の上部に取っ手を設け、操作時に、片手で容器の安定が図れ、砂の計量から試験器具に注ぎ入れる際に、こぼれや漏れがないことを特徴とした漏斗付トレーとする。
【考案の効果】
【０００７】  ガラス製の試験器具（ピクノメーター、チャップマンフラスコ）に試料を入れる際に、こぼれや砂の品質変化が解消され、作業時間の短縮や試験誤差を少なくできる。砂の計量からガラス製の試験器具への投入までの一連の操作を本考案漏斗付トレーで行い、人的ミスを防止できる。
【図面の簡単な説明】
【０００８】
【図１】本考案の漏斗付トレーの側面図である。
【図２】漏斗付トレーの上面図である。
【図３】漏斗付トレーの正面図である。
【図４】試料を投入し計量する説明図。
【図５】試料を試験器具に注ぎ入れる説明図。
【図６】試料を試験器具に注ぎ入れる説明図。
【考案を実施するための形態】
【０００９】  漏斗付トレー本体を秤に載せ、トレー部分で砂を５００ｇ程度計量する。ガラス製の試験器具（ピクノメーター、チャップマンフラスコ）の注ぎ口に漏斗付トレーを傾け注ぎ口を挿入させ砂を入れる。トレー内側に付着した砂は刷毛などで払い落し試験器具の中に入れ測定する。
【実施例】
【００１０】  以下、図面に従って本考案の実施例を説明する。漏斗付トレー本体１は、底面２が略長方形であって、底面の２辺の長辺から立ち上げた壁３と、底面の１辺の短辺から立ち上げた壁４を有し、他の短辺は底面から上方に傾斜した壁５を有し、これら４辺の壁は水漏れを防ぐ連続した壁であって、かつ該傾斜壁５は、２辺の長辺に平行で中心が前記壁の上端より高い位置で小径の注ぎ口６を有するラッパ状の漏斗７の中心軸を水平にした状態での下半分に相当する部分として構成され、前記漏斗７の上部に取っ手９を設ける。本トレーを注ぎ口を下げて試験器具に注ぎ入れるときに、壁３の漏斗側上部から溢れてこぼれ落ちないように、漏斗側壁３上部に傾斜対応壁８を設ける。操作時に、片手で容器の安定が図れ、砂の計量から試験器具１１に注ぎ入れる際に、こぼれや漏れがないことを特徴とした漏斗付トレーとする。
本考案の素材は、プラスチック製またはポリプロピレン製でトレーに漏斗と取っ手を一体化することにより、ガラス製の試験器具（ピクノメーター、チャップマンフラスコ）と接触による破損をなくし、計量した砂を試験器具に直接注ぎ入れることができる。本体の底は秤に載せる為、平らで座りが良く、漏斗の注ぎ口の先は、試験器具の注ぎ口の内径に合い、砂の詰まりを防ぐ為に短いラッパ状にしている。取っ手は漏斗上部あり傾ける際、片手で容器の安定が図れる。
図４は漏斗付トレーの使用状況を示す。漏斗付トレーに試料（細骨材）１０を投入し、秤１２で計量する。図５は試験器具（チャップマンフラスコ）１３に注ぎ入れている状況を示す。図６は刷毛１４試料を払い落とす状況を示す。
【符号の説明】
【００１３】    １  漏斗付トレー本体
２  底面
３  長辺の壁
４  短辺の壁
５  傾斜壁
６  注ぎ口
７  漏斗
８  傾斜対応壁
９  取っ手